(57)【要約】【課題】三相交流電源用の瞬時電圧低下保護装置を低廉なコストで且つ短納期で提供できるようにする。【解決手段】２台の単相用瞬低保護装置３、４に三相用インタフェイス部２を追加し、それらの間を配線することで三相用瞬低保護装置１を構成する。三相用インタフェイス部２は、Ｒ相−Ｔ相間の電圧低下を検出する機能と、そのＲ相−Ｔ相間電圧低下、単相用瞬時電圧低下保護装置３、４によりそれぞれ検出されるＲ相−Ｓ相間電圧低下、Ｔ相−Ｓ相間電圧低下のいずれかに応じて瞬低保護動作を開始していない単相用瞬低保護装置３、４に動作指令を与える機能と、瞬低保護動作に際して生成される交流電圧の位相を規定通りに同期させる同期信号生成機能と、を含む。コンスタントな需要があってコストダウンが見込める単相用瞬低保護装置を利用することで、コストの削減や納期短縮を図ることができる。【選択図】図１
2010022124.tif 000002
【特許請求の範囲】
【請求項１】
三相交流電源と負荷との間に介挿され、三相交流電源から供給される三相交流電力の瞬時電圧低下や瞬時電圧断が発生したとき、負荷に三相交流電力を一時的に供給する三相用瞬時電圧低下保護装置において、
a)三相交流電源の第１相と第２相の交流電力が入力される入力端と、該入力端に供給される交流電力に基づく電気エネルギーを蓄えるための蓄電手段と、前記入力端に供給される交流電力を直流電力に変換して前記蓄電手段を充電するインバータ手段と、前記入力端に供給される交流電圧が一時的に低下したときに、それに代えて前記蓄電手段に蓄えられている電気エネルギーを前記インバータ手段により交流電力に変換して外部へと供給することにより瞬時電圧低下保護動作を実行する制御手段と、を有する第１の単相用瞬時電圧低下保護回路部と、
b)その入力端に三相交流電源の第２相と第３相の交流電力が入力され、第１の単相用瞬時電圧低下保護回路部と同様の構成を有する第２の単相用瞬時電圧低下保護回路部と、
c)三相交流電源線の第１相と第３相との間の交流電力の電圧低下を検出する電圧低下検出手段と、
d)前記電圧低下検出手段により電圧低下が検出されたか、前記第１の単相用瞬時電圧低下保護回路部において第１相と第２相との間の交流電力の電圧低下が検出されたか、又は、前記第２の単相用瞬時電圧低下保護回路部において第２相と第３相との間の交流電力の電圧低下が検出されたかの、いずれかが起きたときに、瞬時電圧低下保護動作を実行していない、第１又は第２の単相用瞬時電圧低下保護回路部の一方又は両方に対し、瞬時電圧低下保護動作を開始させるべくそれら制御手段に指令を与える協働指令手段と、
e)前記協働指令手段による指令により第１及び第２の単相用瞬時電圧低下保護回路部の両者が共に瞬時電圧低下保護動作を実行する際に、出力される三相交流電力の各相の位相を調整する位相調整手段と、
を備えることを特徴とする三相用瞬時電圧低下保護装置。
【請求項２】
請求項１に記載の三相用瞬時電圧低下保護装置であって、
第１及び第２の単相用瞬時電圧低下保護回路部はそれぞれ別々の筐体に収容され、前記電圧低下検出手段、前記協働指令手段、及び前記位相調整手段は、さらに別の１つの筐体に収容されてなることを特徴とする三相用瞬時電圧低下保護装置。
【発明の詳細な説明】
【技術分野】
【０００１】
本発明は、電力系統等の三相交流電源から負荷に供給される三相交流電力の電圧が一時的に低下した場合や一時的な停電が発生した場合に、負荷に三相交流電力を供給する三相用瞬時電圧低下保護装置に関する。
【背景技術】
【０００２】
従来より、１００Ｖ或いは２００Ｖの商用交流電源から負荷に供給される単相交流電力の電圧が瞬低等により短時間低下した場合に、これに代えて交流電力を負荷に供給するための瞬時電圧低下保護装置が広く利用されている（例えば特許文献１、非特許文献１参照）。
【０００３】
上記文献などに記載の瞬時電圧低下保護装置は、電力系統の交流電源から供給される交流電力を直流電力に変換するとともにその逆変換も可能な双方向インバータと、直流電力によるエネルギーを蓄積する蓄電用コンデンサと、負荷に出力される交流電力を切り替えるためのスイッチと、入力される交流電力の電圧低下を検出し、入力交流電力が正常に供給されているときにはそれを負荷に出力するとともに双方向インバータを介してコンデンサにエネルギーを蓄積し、入力交流電力の電圧低下を検出すると上記スイッチにより入力交流電力と負荷とを切り離し、蓄電用コンデンサに蓄積されている電気エネルギーに基づく直流電力を双方向インバータにより交流電力に変換して負荷に出力する制御部と、を備えている。
【０００４】
一般的には単相交流電力が使用されることが多いが、工場などでは単相交流電力のほかに三相交流電力もよく使用されている。このため、三相交流電源用の瞬時電圧低下保護装置に対する要求もあるが、従来一般に、三相交流電源用の瞬時電圧低下保護装置の価格は同程度の定格容量を持つ単相交流電源用の瞬時電圧低下保護装置に比べるとかなり高価となっている。その主な理由は、三相交流電源用瞬時電圧低下保護装置は単相交流電源用瞬時電圧低下保護装置に比べれば需要が少ないため、製造上で量産することによるコストメリットが殆どなく、逆に受注生産、少量生産などのためのコスト上昇要因があるためである。また、三相交流電源用の瞬時電圧低下保護装置の製品のラインナップは単相交流電源用瞬時電圧低下保護装置に比べて少ないため、ユーザーが要望する定格容量の製品が見つからず、実際に必要な出力容量に比べてかなり大きな定格容量の、つまり高価な装置を購入せざるをえないことが多い、という理由もある。
【０００５】
【特許文献１】特開２００８−５４４６８号公報
【非特許文献１】「瞬低保護装置のエキスパート  ＫＤＰseries」、[online]、京都電機器株式会社、[平成２０年７月７日検索]、インターネット＜URL : http://www.kdn.co.jp/kdp/lineup.html＞
【発明の開示】
【発明が解決しようとする課題】
【０００６】
即ち、瞬時電圧低下保護装置の製造メーカーからみると、三相交流電源用瞬時電圧低下保護装置は需要が少なく、受注見込みで製造しておくメリットが殆どないために、製品価格を上げざるを得ない。また、受注生産するにしても、製品のラインナップを揃えることは難しい。一方、ユーザーからみると、三相交流電源用瞬時電圧低下保護装置は単相交流電源用瞬時電圧低下保護装置に比べて高価であるうえに、入手までに時間が掛かるという大きな不満がある。
【０００７】
本発明はこうした課題を解決するためになされたものであり、その目的とするところは、従来に比べ、低廉なコストで且つ短い納期でユーザーが入手することができる三相用の瞬時電圧低下保護装置を提供することにある。
【課題を解決するための手段】
【０００８】
上記課題に鑑みて本願発明者は、比較的コンスタントに需要があり、量産によるコストダウン効果も発揮し易い単相用の瞬時電圧低下保護装置の基本的な回路を殆どそのまま利用し、最低限必要なハードウエアやソフトウエアを追加することで、三相用瞬時電圧低下保護機能を実現することに想到した。
【０００９】
即ち、上記課題を解決するために成された本発明は、三相交流電源と負荷との間に介挿され、三相交流電源から供給される三相交流電力の瞬時電圧低下や瞬時電圧断が発生したとき、負荷に三相交流電力を一時的に供給する三相用瞬時電圧低下保護装置において、
a)三相交流電源の第１相と第２相の交流電力が入力される入力端と、該入力端に供給される交流電力に基づく電気エネルギーを蓄えるための蓄電手段と、前記入力端に供給される交流電力を直流電力に変換して前記蓄電手段を充電するインバータ手段と、前記入力端に供給される交流電圧が一時的に低下したときに、それに代えて前記蓄電手段に蓄えられている電気エネルギーを前記インバータ手段により交流電力に変換して外部へと供給することにより瞬時電圧低下保護動作を実行する制御手段と、を有する第１の単相用瞬時電圧低下保護回路部と、
b)その入力端に三相交流電源の第２相と第３相の交流電力が入力され、第１の単相用瞬時電圧低下保護回路部と同様の構成を有する第２の単相用瞬時電圧低下保護回路部と、
c)三相交流電源線の第１相と第３相との間の交流電力の電圧低下を検出する電圧低下検出手段と、
d)前記電圧低下検出手段により電圧低下が検出されたか、前記第１の単相用瞬時電圧低下保護回路部において第１相と第２相との間の交流電力の電圧低下が検出されたか、又は、前記第２の単相用瞬時電圧低下保護回路部において第２相と第３相との間の交流電力の電圧低下が検出されたかの、いずれかが起きたときに、瞬時電圧低下保護動作を実行していない、第１又は第２の単相用瞬時電圧低下保護回路部の一方又は両方に対し、瞬時電圧低下保護動作を開始させるべくそれら制御手段に指令を与える協働指令手段と、
e)前記協働指令手段による指令により第１及び第２の単相用瞬時電圧低下保護回路部の両者が共に瞬時電圧低下保護動作を実行する際に、出力される三相交流電力の各相の位相を調整する位相調整手段と、
を備えることを特徴としている。
【００１０】
本発明に係る三相用瞬時電圧低下保護装置において、第１及び第２の単相用瞬時電圧低下保護回路部は、それぞれ入力端に供給された交流電力の電圧低下を検出すると瞬時電圧低下保護動作を実行し、入力端に供給される交流電力に代えて、蓄電手段に蓄えておいた電気エネルギーを元にした交流電力を出力する。但し、三相交流電源の場合にはいずれかの１相のみの電圧低下が起こることもあり得るため、例えば第１の単相用瞬時電圧低下保護回路部では電圧低下を検出したものの、第２の単相用瞬時電圧低下保護回路部では電圧低下を検出しないという状況が起こり得る。また、第１相と第３相との間の交流電力の電圧低下は、第１及び第２の単相用瞬時電圧低下保護回路部のいずれでも検出されないという状況も起こり得る。
【００１１】
そこで、上述したような電圧低下検出の漏れを補完するために、上記電圧低下検出手段は三相交流電源線の第１相と第３相との間の交流電力の電圧低下を検出する。協働指令手段は、第１及び第２の単相用瞬時電圧低下保護回路部における電圧低下検出の有無と上記電圧低下検出手段における電圧低下検出の有無とをそれぞれ監視し、電圧低下が検出されたならば、瞬時電圧低下保護動作を実行していない、第１又は第２の単相用瞬時電圧低下保護回路部の一方又は両方に対し、瞬時電圧低下保護動作を開始させる。例えば、第１の単相用瞬時電圧低下保護回路部で電圧低下が検出されると、当該回路部の機能として瞬時電圧低下保護動作が開始され、他方の第２の単相用瞬時電圧低下保護回路部は、協働指令手段による指令に基づいて瞬時電圧低下保護動作を開始する。これにより、どのような状態の電圧低下が生じた場合でも、第１及び第２の単相用瞬時電圧低下保護回路部がいずれも瞬時電圧低下保護動作を実行する。
【００１２】
また、第１及び第２の単相用瞬時電圧低下保護回路部が共に瞬時電圧低下保護動作を実行する際に、出力される三相交流電力の各相の電圧の位相関係が規定通り（例えばＳ相を基準とした場合にＲ相は１２０°位相進み、Ｔ相は１２０°位相遅れ）になっている必要がある。そこで、位相調整手段は、第１及び第２の単相用瞬時電圧低下保護回路部の両者が共に瞬時電圧低下保護動作を実行する際に、出力される三相交流電力の各相の位相を調整し、各相の電圧が位相が規定通りになるように同期をとる。具体的には基準となる例えばＳ相の位相を持つ同期信号を提供し、これに対し他の２相の電圧が１２０°進み、１２０°遅れの位相となるように位相調整を行うものとすることができる。
【発明の効果】
【００１３】
本発明に係る三相用瞬時電圧低下保護装置では、瞬時電圧低下保護動作を実行するための主要なハードウエアであるインバータ手段や蓄電手段などについて単相交流電源用として開発・製造されたものをそのまま利用することができるから、量産効果等によりコストメリットを発揮し易い。一方、電圧低下検出手段、協働指令手段、位相調整手段などの、三相交流電源用として追加すべき構成要素は、ＣＵＰを含むマイクロコントローラなどを中心に構成されるものであり、ソフトウエアを開発する必要はあるもののハードウエアは比較的簡単であり、コストを抑えることが容易である。したがって、本発明に係る三相用瞬時電圧低下保護装置によれば、従来に比べて、安価な装置をユーザーに提供することができる。また、コンスタントに需要がある単相用瞬時電圧低下装置をベースに製造することができるので、装置をユーザーに供給するまでの納期を短縮することができ、製造メーカーにとっては商機を逃すことも回避することができる。
【００１４】
なお、本発明に係る三相用瞬時電圧低下保護装置の実施態様として、全てを１つの筐体に収容した構成としてもよいが、単相用瞬時電圧低下保護回路部を単体の単相用瞬時電圧低下保護装置として提供できるメリットを考えた場合、第１及び第２の単相用瞬時電圧低下保護回路部はそれぞれ別々の筐体に収容され、前記電圧低下検出手段、前記協働指令手段、及び前記位相調整手段は、さらに別の１つの筐体に収容されてなる構成とするとよい。これによれば、三相用瞬時電圧低下保護装置の低コスト化や納期短縮に一層有効である。
【発明を実施するための最良の形態】
【００１５】
本発明に係る三相用瞬時電圧低下保護装置の一実施例について、添付図面を参照して詳細に説明する。図１は本実施例による三相用瞬時電圧低下保護装置の概略ブロック構成図である。
【００１６】
本実施例の三相用瞬時電圧低下保護装置１は、基本構成として、２台の単相用瞬時電圧低下保護装置（本発明における第１及び第２の単相用瞬時電圧低下保護回路部）３、４と、三相用インタフェイス（Ｉ／Ｆ）部２と、を備える。
【００１７】
電源系統の三相交流電源１００から供給されるＲ相、Ｓ相、Ｔ相の三相交流電力は三相用瞬時電圧低下保護装置１に入力され、このうちＲ相とＳ相の交流電力が第１単相用瞬時電圧低下保護装置３の電力入力端３０に入力され、Ｓ相とＴ相の交流電力が第２単相用瞬時電圧低下保護装置４の電力入力端３０に入力され、Ｒ相、Ｓ相、Ｔ相の交流電力が三相用インタフェイス部２の電力入力端２４に入力される。また、第１単相用瞬時電圧低下保護装置３の電力出力端３３と第２単相用瞬時電圧低下保護装置４の電力出力端３３とから、Ｒ相、Ｓ相、Ｔ相の三相交流電力が出力され、図示しない負荷に供給される。上述した交流電力電源線のほかに、第１単相用瞬時電圧低下保護装置３の制御信号端子４７と三相用インタフェイス部２の制御信号端子２５との間は相互に制御線で接続され、第２単相用瞬時電圧低下保護装置４の制御信号端子４７と三相用インタフェイス部２の制御信号端子２６との間も相互に制御線で接続されている。
【００１８】
第１及び第２単相用瞬時電圧低下保護装置３、４は基本的に同一の回路構成を有する。図３はこの単相用瞬時電圧低下保護装置３、４の概略構成図である。なお、この基本的な回路構成は特許文献１などに開示されているものを用いることができる。
【００１９】
図３において、電力入力端３０に供給される交流電力は、ＦＥＴスイッチ３１１と過電流保護用の双方向サイリスタ３１２とが並列に接続されて成る切替部３１を経て電力出力端３３に出力され、さらに、この交流電力は複数のスイッチング素子を含むインバータ部３５に入力される。ＦＥＴスイッチ３１１と双方向サイリスタ３１２とはそれぞれ独立に、切替駆動部４４より与えられる駆動信号によりオン／オフが制御される。
【００２０】
インバータ部３５には蓄電手段としての電解コンデンサ３６が接続され、インバータ部３５は交流電力を直流に変換して電解コンデンサ３６を充電する、或いは、逆に電解コンデンサ３６に保持されている電気エネルギーを直流／交流変換する、双方向の機能を有する。後者の際に、インダクタンスとコンデンサとから成るフィルタ３４により、交流電力に重畳している高周波成分は除去される。また、電解コンデンサ３６を充電するために、別に補充電部３７を備える。補充電部３７は、トランス３７１、トランス３７１の一次側巻線に直列接続された双方向サイリスタ３７２、トランス３７１の二次側巻線に接続された整流用ダイオード３７３、コンデンサ３７４、抵抗器３７５などを含む、電解コンデンサ３６はインバータ部３５及び補充電部３７の両方から充電が可能である。補充電部３７の双方向サイリスタ３７２は補充電駆動部４１により与えられる駆動信号によりオン／オフが制御される。また、インバータ部３５の各スイッチング素子はインバータ駆動部４３により与えられる駆動信号によりオン／オフが制御される。
【００２１】
電圧低下検出部４０は電力入力端３０に与えられる交流電力の電圧の低下を監視し、電圧低下を検出すると速やかに制御部４６にそれを知らせる。充電電圧検出部４２は電解コンデンサ３６に保持された充電電圧を検出し、その電圧値を制御部４６に入力する。また、本装置から出力される負荷電流は電流トランス３２及び負荷電流検出部４５で検出され、その電流値が制御部４６に入力される。制御部４６はＣＰＵなどを中心に構成され、予め設定されたプログラムに従って、瞬時電圧低下保護動作のための各種制御や処理を実行する。
【００２２】
この単相用瞬時電圧低下保護装置３、４の基本的な動作を概略的に説明する。電力入力端３０に供給される交流電力の電圧が正常である場合、切替部３１のＦＥＴスイッチ３１１が導通状態となり、入力交流電力が電力出力端３３に供給される。このときにこの交流電力を元に後述のように電解コンデンサ３６が充電され、電解コンデンサ３６に電気エネルギーが蓄えられる。入力交流電力の電圧が一時的に低下すると、制御部４６は電圧低下検出部４０からの検出信号により電圧低下を認識し、切替駆動部４４を介して切替部３１のＦＥＴスイッチ３１１をオフさせて電力出力端３３と電力入力端３０とを切り離す。
【００２３】
これと同時に、インバータ駆動部４３によりインバータ部３５を動作させ、その直前まで電解コンデンサ３６に保持されていた電圧を直流／交流変換し、フィルタ３４を介して波形整形し補償電力として電力出力端３３に供給する。そして、電力入力端３０に入力される交流電力の電圧低下が解消されると、制御部４６はインバータ部３５の動作を停止して補償電力の供給を止め、その後速やかに切替部３１により電力入力端３０と電力出力端３３とを接続し、入力交流電力を電力出力端３３から出力させる。
【００２４】
例えば放電動作により電解コンデンサ３６の電気エネルギーが大きく減じた場合、次の瞬時電圧低下に備えて急速に電解コンデンサ３６を充電しておく必要がある。そこで、充電電圧が或る所定値よりも低い場合にはインバータ部３５を動作させ、供給された交流電力を直流電力に変換して電解コンデンサ３６を急速に充電する。一方、充電電圧が定格電圧に達した後に自然放電により徐々に電圧が下がって或る規定値まで下がったときには、インバータ部３５ではなく補充電部３７を動作させ、減少した電圧分を補うように充電を行う。これにより、通常時（入力交流電力が正常であるとき）にはインバータ部３５を殆ど動作させずに済ますことができ、インバータ部３５の頻繁な動作に伴うノイズの発生を回避することができる。
【００２５】
上述のように電圧低下検出部４０により電圧低下が検知されて瞬時電流低下保護動作が行われる際には、電圧低下検出信号が制御信号端子４７に出力される。一方、自己の電圧低下検出によるもの以外に、制御信号端子４７に強制的な動作指令が与えられると、制御部４６は自己の電圧低下検出の有無に拘わらず瞬時電圧低下保護動作を実行する。さらに、制御信号端子４７の１つには位相同期信号として交流電圧と同じ周波数（５０Ｈｚ又は６０Ｈｚ）の基準信号が入力されている。交流電力が正常であるときにはこの位相同期信号は位相差として記憶され、瞬時電圧低下保護動作の際には、この位相同期信号と同位相の交流電圧をＳ相とし、Ｒ相の交流電圧出力は位相同期信号から位相が１２０°進んだものとし、Ｔ相の交流電圧出力は位相同期信号から位相が１２０°遅れたものとするように位相を合わせる。
【００２６】
図２は三相用インタフェイス部２の概略構成図である。三相用インタフェイス部２は、電圧低下検出部２１と、同期信号発生部２２と、制御部２３と、を備える。電圧低下検出部２１は、Ｒ相入力とＳ相入力との間の電圧、Ｓ相入力とＴ相入力との間の電圧をそれぞれモニタして擬似的なＲ相−Ｔ相電圧を生成し、この電圧の低下を検出する。制御部２３には、第１及び第２の単相用瞬時電圧低下保護装置３、４のそれぞれの制御信号端子４７に出力され、制御線を通して制御信号端子２５、２６に入力される２つの、つまりＲ相−Ｓ相間及びＳ相−Ｔ相間の電圧低下検出信号と、内部の電圧低下検出部２１によるＳ相−Ｔ相間の電圧低下検出信号と、が入力される。これら３つの電圧低下検出信号のいずれかで電圧低下が認識されると、制御部２３は、電圧低下が検出されていない単相用瞬時電圧低下保護装置３、４の一方又は両方に対し制御信号端子２５、２６から動作指令を送る。
【００２７】
一方、同期信号発生部２２はＳ相入力の位相に同期した位相同期信号を生成し、仮にＳ相入力が低下したときでも、それ以前のＳ相入力に同期した位相同期信号を制御信号端子２５、２６から出力し続ける。これを基準にして上述したように他の相の位相を合わせることで、電圧低下時に補償電圧として出力される三相交流電力の位相を規定通りにすることができる。
【００２８】
本実施例の瞬時電圧低下保護装置の具体的な動作の一例を説明する。三相交流電源１００から正常に三相交流電力が供給されている状態から、例えばＲ相−Ｓ相間電圧が異常に低下したものとする。このとき、第１単相用瞬時電圧低下保護装置３において、電圧低下検出部４０が電圧低下を検出し、制御部４６の制御の下に瞬時電圧低下保護動作が実行されて、電解コンデンサ３６に蓄積されていた電気エネルギーに基づいた補償交流電圧が電力出力端３３に出力される。このときのＲ相交流電圧は位相同期信号に対し１２０°位相進みの波形となり、Ｓ相交流電圧は位相同期信号と同位相の波形となる。
【００２９】
この瞬時電圧低下保護動作の開始とほぼ同時に、電圧低下検出信号が第１単相用瞬時電圧低下保護装置３から三相用インタフェイス部２に送られ、制御部２３はこれを受けて第２単相用瞬時電圧低下保護装置４に動作指令を送る。動作指令を受けた第２単相用瞬時電圧低下保護装置４において制御部４６は、インバータ部３５を動作させ、電解コンデンサ３６に蓄積されていた電気エネルギーに基づいた補償交流電圧を電力出力端３３に出力させる。このときのＴ相交流電圧は位相同期信号に対し１２０°位相遅れの波形となり、Ｓ相交流電圧は位相同期信号と同位相の波形となる。
【００３０】
以上のようにして本実施例の三相用瞬時電圧低下保護装置１では、一時的に電圧が低下した又は停電した三相交流電源１００に代わって、負荷に三相交流電力を供給し続けることができる。また、Ｔ相−Ｓ相間電圧が異常に低下した場合には、第２単相用瞬時電圧低下保護装置４において電圧低下検出部４０が電圧低下を検出して瞬時電圧低下保護動作が開始され、第１単相用瞬時電圧低下保護装置３は三相用インタフェイス部２から動作指令を受けて瞬時電圧低下保護動作を開始する。Ｓ相−Ｔ相間電圧が異常に低下した場合には、三相用インタフェイス部２において電圧低下検出部２１がまず電圧低下を検出し、制御部２３から出された動作指令に従って第１及び第２単相用瞬時電圧低下保護装置３、４が共に瞬時電圧低下保護動作を開始する。
【００３１】
図４は本実施例の三相用瞬時電圧低下保護装置１の形態の一例を示す外観図である。単相用瞬時電圧低下保護装置３、４はそれぞれそれ単独で単相交流電源の瞬時電圧低下保護に利用可能なものである。そこで、図４に示した例では、単相用瞬時電圧低下保護装置３、４はそれぞれ筐体に収容された独立の装置として利用できるようにし、これとほぼ同じ横幅や奥行きを有する別の筐体に三相用インタフェイス部２を収容し、３台を積層させたときの外観上の統一性を持たせている。電力電源線や制御線などの配線は各筐体の背面側に設けたコネクタ間で行うことができるが、図４のように積み重ねたときに上側の筐体の底面と下側の筐体の天面との間で相互に接続を行えるようなコネクタを別途設けてもよい。
【００３２】
なお、上記実施例は本発明の一例であり、本発明の趣旨の範囲で適宜変形、修正、追加を行っても本願特許請求の範囲に包含されることは当然である。
【図面の簡単な説明】
【００３３】
【図１】本発明の一実施例による三相用瞬時電圧低下保護装置の概略ブロック構成図。
【図２】図１中の三相用インタフェイス部の概略構成図。
【図３】図１中の単相用瞬時電圧低下保護装置の概略構成図。
【図４】本実施例の三相用瞬時電圧低下保護装置の形態の一例を示す外観図。
【符号の説明】
【００３４】
１…三相用瞬時電圧低下保護装置
１００…三相交流電源
２…三相用インタフェイス部
２１…電圧低下検出部
２２…同期信号発生部
２３…制御部
２４…電力入力端
２５、２６…制御信号端子
３、４…単相用瞬時電圧低下保護装置
３０…電力入力端
３１…切替部
３１１…ＦＥＴスイッチ
３１２…双方向サイリスタ
３２…電流トランス
３３…電力出力端
３４…フィルタ
３５…インバータ部
３６…電解コンデンサ
３７…補充電部
３７１…トランス
３７２…双方向サイリスタ
３７３…整流用ダイオード
３７４…コンデンサ
３７５…抵抗器
４０…電圧低下検出部
４１…補充電駆動部
４２…充電電圧検出部
４３…インバータ駆動部
４４…切替駆動部
４５…負荷電流検出部
４６…制御部
４７…制御信号端子
【図１】
2010022124.tif 000003
【図２】
2010022124.tif 000004
【図３】
2010022124.tif 000005
【図４】
2010022124.tif 000006